(57)【特許請求の範囲】
【請求項１】
鉄筋の配筋作業を行う際に鉄筋を移動するために使用する配筋作業用のバールであって、曲折部分を経てＬ形に延長するＬ形フックを先端に備えた棒状のバール本体と、前記曲折部分を挟んでＬ形フックを構成する各直線部分の各々に遊嵌された一対のローラスリーブとからなり、前記一対のローラスリーブは、前記曲折部分を挟んで近接する位置に各々取り付けられることにより、前記鉄筋が前記一対のローラスリーブの双方に跨って載置されることを特徴とする配筋作業用バール。
【発明の詳細な説明】
【０００１】
【発明の属する技術分野】
この発明は、配筋作業用バールに関し、特に、太径や長尺の鉄筋の配筋作業を行う際に鉄筋を移動するために使用する配筋作業用のバールに関する。
【０００２】
【従来の技術】
各種の鉄筋コンクリート構造物を構築する際には、コンクリートを打設する作業に先立って、コンクリートの引張り強度を補ってこれを補強するための部材である鉄筋の配筋作業が行われる。すなわち、かかる配筋作業は、各鉄筋が所望の強度を発揮して有効にコンクリートを補強することができるように、設計上求められた所定の太さの鉄筋を用いて、所定の間隔及び密度で、所定の位置に精度良く配設することにより行われる。
【０００３】
そして、かかる鉄筋の配筋作業は、一般に、例えば熟練の鉄筋工などの作業員が、手作業によって、配筋現場で各鉄筋を各配筋位置に配置して組み立てたり、配筋現場とは別の作業ヤードにおいて、例えば鉄筋篭として所定の形状に鉄筋を組み立てるために行われる。
【０００４】
【発明が解決しようとする課題】
しかしながら、かかる鉄筋の配筋作業は、特に、例えばＬＮＧの地下タンクや、橋梁の基礎フーチング等の大規模なコンクリート構造物を構築する際に、径の太い鉄筋、例えば呼び径Ｄ３５、Ｄ３８、Ｄ４１、Ｄ５１程度の太い鉄筋を用いて組み立て作業を行う場合や、長尺の鉄筋を用いて組み立て作業を行う場合には、鉄筋一本当たりの重量が重くなるため、これらの鉄筋を移動して精度良く配筋する作業に多くの人手と手間がかかって効率の良い配筋作業を行うことが困難になるという課題があった。
【０００５】
また、特に、鉄筋の長手方向へのスライド移動が困難で、配筋位置の調整のために多くの時間と労力を必要とするという課題があった。
【０００６】
そこで、この発明は、このような従来の課題に着目してなされたもので、重量の重い鉄筋を容易に移動することができるとともに、特に鉄筋の長手方向への移動を少ない労力で容易に行うことを可能にする配筋作業用のバールを提供することを目的とするものである。
【０００７】
【課題を解決するための手段】
この発明は、上記目的を達成するためになされたもので、その要旨は、鉄筋の配筋作業を行う際に鉄筋を移動するために使用する配筋作業用のバールであって、曲折部分を経てＬ形に延長するＬ形フックを先端に備えた棒状のバール本体と、前記曲折部分を挟んでＬ形フックを構成する各直線部分の各々に遊嵌された一対のローラスリーブとからなり、前記一対のローラスリーブは、前記曲折部分を挟んで近接する位置に各々取り付けられることにより、前記鉄筋が前記一対のローラスリーブの双方に跨って載置されることを特徴とする配筋作業用バールにある。
【０００８】
そして、この発明の配筋作業用バールによれば、Ｌ形フックの先端を鉄筋の下側にこじ入れ、例えばテコの原理を利用しつつバール本体を回動することにより、鉄筋は、遊嵌された一対のローラスリーブに跨って、曲折部分の内側においてこのローラスリーブ上に容易に載置されることになる。したがって、この状態で鉄筋を長手方向に引っ張れば、一対のローラスリーブの回転に伴って、これをベアリングとして鉄筋を長手方向に容易にスライド移動させることができ、このようにして鉄筋をスライド移動した後、バール本体を逆方向に回動すれば、鉄筋は、Ｌ形フックから容易に離脱して所望の配筋位置に配設されることになる。
【０００９】
なお、本発明の配筋作業用バールを用いた配筋作業は、２台以上のバールを用いて、少なくとも２箇所以上で、Ｌ形フックのローラスリーブ上に各鉄筋を載置して浮かせた状態でスライド移動しながら行うことが好ましい。
【００１０】
【発明の実施の形態】
以下、この発明の好ましい実施の形態すなわち実施例について、添付図面を参照しつつ詳細に説明する。この実施例の配筋作業用バール１０は、図１に示すように、曲折部分１１を経てＬ形に延長するＬ形フック１２を先端に備えた棒状のバール本体１３と、曲折部分１１を挟んでＬ形フック１２を構成する各直線部分の各々に遊嵌された一対のローラスリーブ１４とによって構成されている。
【００１１】
ここで、バール本体１３は、一例として径３２ｍｍ程度の鋼棒の一端部を略９０度曲折加工してＬ形に形成されたもので、外径約６０ｍｍ程度の曲折部分１１を挟んで直線状に延長する長さ１４０ｍｍ程度の短小のフック部１５と長さ１２４０ｍｍ程度の長尺の柄部１６とからなっている。
【００１２】
一方、ローラスリーブ１４は、径３２ｍｍ程度の鋼棒に遊嵌し得る大きさの内空を有する外径６０ｍｍ程度、長さ１００ｍｍ程度の円筒状部材で、例えばその内面にボールベアリングを埋設して、バール本体１３との間の摩擦を低減することにより、バール本体１３のフック部１５及び柄部１６の周囲に沿って滑らかに回動することが出来るように構成されている。
【００１３】
また、この一対のローラスリーブ１４は、フック部１５及び柄部１６の付け根部分すなわち曲折部分１１を挟んでこれに近接する位置に各々取り付けられることにより、鉄筋１７をスライド移動させるべくこのＬ形フック１２に乗せたときに、この鉄筋１７が、一対のローラスリーブ１４の双方に跨って載置されるように構成されている。
【００１４】
そして、この実施例の配筋作業用バール１０を用いて配筋作業を行うには、図２及び図３に示すように、例えばスペーサ１９や既に配設された横筋１８の上に運搬されて仮置きされている縦筋としての呼び径Ｄ５１程度の太い鉄筋１７を、これの延長方向すなわち長手方向にスライド移動して所定の配筋位置に配設すべく、まず鉄筋１７をバランス良く持ち上げて移動するのに適した位置に配置した２台の配筋作業用バール１０を使用して（図３参照）、これらのフック部１５を、スペーサや横筋１８によって鉄筋１７の下方に保持されている隙間から、鉄筋１７の下側にこじ入れる（図２参照）。
【００１５】
次に、既に所定の位置に移動して配筋が終了している隣接する鉄筋１７を支点として、テコの原理を利用しつつバール本体の柄部１６を下方に回動することにより、鉄筋１７は、持ち上げられて浮いた状態で容易に各Ｌ形フック１２に乗ることにより、遊嵌された一対のローラスリーブ１４の双方に跨ってバランス良く載置されることになる。
【００１６】
そして、このようにして持ち上げられている鉄筋１７をこれの長手方向に押し出すかあるいは引き出せば（図３参照）、鉄筋１７は、ローラスリーブ１４の回転に伴って、これをベアリングとして滑らかにスライド移動することにより、容易に長手方向に沿った所望の配筋位置に精度良く位置決めされることになる。
【００１７】
そして、このようにして鉄筋１７を位置決めしたら、下方に回動していた柄部１６を逆方向に回動して鉄筋１７を横筋１８の上に降ろし、フック部１５を鉄筋１７の下側から引き抜くことにより、スライド移動した鉄筋１７の配筋作業が終了する（図２参照）。
【００１８】
すなわち、この実施例の配筋作業用バール１０を用いて配筋作業を行えば、移動すべき鉄筋１７をローラスリーブ１４の回転に伴って長手方向にスムースにスライド移動して位置決め配設することができるので、太径で重量の重い鉄筋１７であってもこれの配筋作業を少ない労力で容易に行うことができる。
【００１９】
なお、この発明の配筋作業用バール及びこれの使用方法は、上記実施例に記載した態様のものに限定されるものではなく、例えば１台の配筋作業用バール１０のみを使用して配筋作業を行うこともでき、また３台以上の配筋作業用バール１０を用いて、鉄筋１７をスライド移動させながら、移動方向前方に順次この配筋作業用バール１０を置き換えて鉄筋１７を載置して行くことにより（図３参照）、鉄筋１７を長い距離にわたってスライド移動して行くこともできる。また、この発明の配筋作業用バールはこの実施例の形状寸法のものに限定されるものではなく、請求項に記載した構成の範囲内において種々の形態のものを用いることができる。
【００２０】
【発明の効果】
以上詳細に説明したように、この発明の配筋作業用バールは、曲折部分を経てＬ形に延長するＬ形フックを先端に備えた棒状のバール本体と、曲折部分を挟んでＬ形フックを構成する各直線部分の各々に遊嵌された一対のローラスリーブとからなるので、配筋すべき鉄筋をローラスリーブ上に載置してこのローラスリーブの回転に伴って、これをベアリングとして鉄筋を長手方向に容易にスライド移動させることができるので、太径や長尺で重量の重い鉄筋についても容易に移動して少ない労力で精度の良い配筋作業を行ってゆくことができる。
【図面の簡単な説明】
【図１】この発明の一実施例にかかる配筋作業用バールの構成を示す側面図である。
【図２】この発明の一実施例にかかる配筋作業用バールの使用状況を説明する側面図である。
【図３】この発明の一実施例にかかる配筋作業用バールの使用状況を説明する平面図である。
【符号の説明】
１０  配筋作業用バール
１１  曲折部分
１２  Ｌ形フック
１３  バール本体
１４  ローラスリーブ
１５  フック部
１６  柄部
１７  鉄筋
【図１】
0003551584.tif 000002
【図２】
0003551584.tif 000003
【図３】
0003551584.tif 000004